(57)【要約】【課題】封止蓋を確実且つ簡単に装着できると共に簡単に取り外しができる車体パネル部材の部品装着部構造を提供する。【解決手段】インストルメントパネル１の開口部周縁にガイド壁６を設け、ガイド壁６の縁部ｆの内側に係止縁８を設ける一方、封止蓋４の蓋本体の裏面に係止縁８によって挿入規制されると共に揺動可能に支持される胴部を設けて封止蓋４を升形状に形成し、胴部の対向する横壁１３，１３’に各々ガイド壁６に対して弾性的に圧入されるリブ１７，１８を設け、胴部の一側であってリブ１７の近傍に幅方向に対向して外側に係止部１９を向けガイド壁６の係止縁８に幅方向で係止する一対の横爪部２０を設け、胴部の他側であってリブ１８の近傍に外側に係止部２１を向けてガイド壁６の係止縁８に長手方向で係止する縦爪部２２を設けた。【選択図】図７
2009132226.tif 000002
【特許請求の範囲】
【請求項１】
車体パネル部材に部品を取り付ける際には封止蓋を取り外して前記車体パネル部材の開口部に前記部品を装着し、前記車体パネル部材に部品を取り付けない場合には前記封止蓋により前記開口部を閉塞する前記車体パネル部材の部品装着部構造であって、前記開口部の周縁に前記車体パネル部材の裏側に延びるガイド壁を設け、前記ガイド壁の縁部の内側に係止縁を設ける一方、前記封止蓋の蓋本体の裏面に胴部を設けて前記封止蓋を升形状に形成し、前記胴部の対向する端面に各々前記ガイド壁に対して弾性的に圧入されるリブを設け、前記胴部の一側であって前記リブの近傍に幅方向に対向して外側に係止部を向け前記ガイド壁の前記係止縁に幅方向で係止する一対の横爪部を設け、前記胴部の他側であって前記リブの近傍に外側に係止部を向けて前記ガイド壁に長手方向で係止する縦爪部を設けたことを特徴とする車体パネル部材の部品装着部構造。
【請求項２】
前記封止蓋の前記胴部の開口縁は車体パネル部材のガイド壁の前記係止縁によって挿入規制されることを特徴とする請求項１記載の車体パネル部材の部品装着部構造。
【請求項３】
前記封止蓋の前記胴部の開口縁は車体パネル部材のガイド壁の前記係止縁によって揺動可能に支持されることを特徴とする請求項１又は請求項２記載の車体パネル部材の部品装着部構造。
【請求項４】
前記係止縁を前記ガイド壁の縁部の内側に全周に渡って設け、前記胴部の開口縁を前記封止蓋の取り付け位置で前記ガイド壁の係止縁に当接する平坦縁と前記蓋本体側に傾斜した傾斜縁とで構成して前記ガイド壁の係止縁に対して前記封止蓋を前記胴部の平坦縁と傾斜縁を介して傾動可能に支持し、前記封止蓋を前記車体パネル部材に取り付ける場合には、前記封止蓋を前記開口部に押し込み前記平坦縁を前記ガイド壁の係止縁に当接させて前記一対の横爪部及び前記縦爪部を前記ガイド壁の係止縁に係止し、前記封止蓋を前記車体パネル部材の開口部から取り外す場合には、前記胴部の他側を押し込んで前記封止蓋を傾動させ、前記胴部の傾斜縁を前記ガイド壁の係止縁に当接させて前記一対の横爪部の前記係止縁に対する係合を解除した後、前記縦爪部の前記係止縁に対する係合を解除することを特徴とする請求項１記載の車体パネル部材の部品装着部構造。
【請求項５】
前記ガイド壁の前記縁部であって前記一対の横爪部に対応する位置に各々係止部を設け、この係止部に前記一対の横爪部の受け入れ側に横爪部の乗り上げを許容する弧状部を形成し、前記係止部に対して前記封止蓋を前記胴部を介して傾動可能に支持し、前記封止蓋を前記車体パネル部材の前記開口部に取り付ける場合には、前記封止蓋を前記開口部に押し込み前記封止蓋の前記胴部を前記係止部に当接させると共に前記横爪部を前記係止部に、前記縦爪部を前記縁部に係止し、前記封止蓋を前記車体パネル部材の前記開口部から取り外す場合には、前記胴部の他側を押し込んで前記係止部を支点にして前記封止蓋を揺動させ、前記一対の横爪部の前記係止部に対する係合を解除した後、前記縦爪部の前記縁部に対する係合を解除することを特徴とする請求項１記載の車体パネル部材の部品装着部構造。
【発明の詳細な説明】
【技術分野】
【０００１】
この発明は、例えば、インストルメントパネル等の車体パネル部材の部品装着部構造に関する。
【背景技術】
【０００２】
車体のインストルメントパネルにはオプション部品として各種スイッチ類用の開口部が設けられる場合があり、バンパーには牽引フック用の開口部が設けられる場合がある。例えばインストルメントパネルを例にすると、オプション部品が取り付けられない仕様の車両である場合には、この開口部を封止蓋により閉塞し、オプション部品を取り付ける仕様の車両である場合には封止蓋を取り外してここに部品が取り付けられるようになっている。したがって、この封止蓋はオプション部品を必要としない仕様である場合には簡単に外れないようにし、オプション部品を取り付ける必要がある場合には、取り外しが容易であることが必要となる。
【０００３】
そのため、開口部に装着される封止蓋に係止爪を形成し、この係止爪を取付け穴に挿入して車体パネル部材の係止部に係合する構造を採用する場合がある（特許文献１参照）。
また、装着した封止蓋を、押圧・揺動させることで、可撓リブを撓み変形させることにより係合爪による係合状態を解除する構造のものがある（特許文献２参照）。
【特許文献１】特開２００４−３５２００２号公報
【特許文献２】実開平４−１３６９５３号公報
【発明の開示】
【発明が解決しようとする課題】
【０００４】
しかしながら、前者の従来技術にあっては、封止蓋を取り外す場合に、封止蓋を取り付けた側とは反対の裏側の狭い部位において、例えば、一対の係止爪を狭めて係合状態を解除するという作業が必要になり作業が行い難いという問題がある。
また、後者の従来技術にあっては封止蓋を取り外し易いようにするため、可撓リブの肉厚を薄くするなどの対策が必要となり、その結果、可撓リブが車両走行時などに振動してしまうことで、変形や折れが生じたり破損してしまうという問題がある。
【０００５】
そこで、この発明は、封止蓋を確実に装着できると共に、容易に取り外しができる車体パネル部材の部品装着部構造を提供するものである。
【課題を解決するための手段】
【０００６】
上記目的を達成するために、請求項１に記載した発明は、車体パネル部材（例えば、実施形態におけるインストルメントパネル１）に部品（例えば、実施形態におけるオプション部品２）を取り付ける際には封止蓋（例えば、実施形態における封止蓋４）を取り外して前記車体パネル部材の開口部（例えば、実施形態における開口部３）に前記部品を装着し、前記車体パネル部材に部品を取り付けない場合には前記封止蓋により前記開口部を閉塞する前記車体パネル部材の部品装着部構造であって、前記開口部の周縁に前記車体パネル部材の裏側に延びるガイド壁（例えば、実施形態におけるガイド壁６）を設け、前記ガイド壁の縁部（例えば、実施形態における縁部ｆ、ｆ’）の内側に係止縁（例えば、実施形態における係止縁８、係止部３８）を設ける一方、前記封止蓋の蓋本体（例えば、実施形態における蓋本体１０）の裏面に胴部（例えば、実施形態における胴部１１、３１）を設けて前記封止蓋を升形状に形成し、前記胴部の対向する端面（例えば、実施形態における横壁１３，１３’）に各々前記ガイド壁に対して弾性的に圧入されるリブ（例えば、実施形態におけるリブ１７，１８）を設け、前記胴部の一側であって前記リブ（例えば、実施形態におけるリブ１７）の近傍に幅方向に対向して外側に係止部（例えば、実施形態における係止部１９）を向け前記ガイド壁の前記係止縁に幅方向で係止する一対の横爪部（例えば、実施形態における横爪部２０，２０）を設け、前記胴部の他側であって前記リブ（例えば、実施形態におけるリブ１８）の近傍に外側に係止部（例えば、実施形態における係止部２１）を向けて前記ガイド壁に長手方向で係止する縦爪部（例えば、実施形態における縦爪部２２）を設けたことを特徴とする。
このように構成することで、封止蓋を車体パネル部材の開口部に押し込んで横爪部を係止縁に縦爪部をガイド壁に係止して取り付け、封止蓋を車体パネル部材から取り外す場合には胴部の他側を押圧して封止蓋を揺動させて横爪部のガイド壁の係止縁に対する係合状態を解除し、次いで縦爪部のガイド壁に対する係合状態を解除して封止蓋を車体パネル部材から取り外すことができる。
【０００７】
請求項２に記載した発明は、前記封止蓋の前記胴部の開口縁（例えば、実施形態における開口縁１４５）は車体パネル部材のガイド壁の前記係止縁によって挿入規制されることを特徴とする。
このように構成することで、封止蓋を車体パネル部材のガイド壁に確実に装着できる。
【０００８】
請求項３に記載した発明は、前記封止蓋の前記胴部の開口縁は車体パネル部材のガイド壁の前記係止縁によって揺動可能に支持されることを特徴とする。
このように構成することで、封止蓋の蓋本体の一方を押し込んだ際に他方が手前側に立ち上がるため、封止蓋の取り外しを容易に行うことができる。
【０００９】
請求項４に記載した発明は、前記係止縁（例えば、実施形態における係止縁８）を前記ガイド壁の縁部（例えば、実施形態における縁部ｆ）の内側に全周に渡って設け、前記胴部の開口縁（例えば、実施形態における開口縁１４５）を前記封止蓋の取り付け位置で前記ガイド壁の係止縁に当接する平坦縁（例えば、実施形態における平坦縁１４）と前記蓋本体側に傾斜した傾斜縁（例えば、実施形態における傾斜縁１５）とで構成して前記ガイド壁の係止縁に対して前記封止蓋を前記胴部の平坦縁と傾斜縁を介して傾動可能に支持し、前記封止蓋を前記車体パネル部材に取り付ける場合には、前記封止蓋を前記開口部に押し込み前記平坦縁を前記ガイド壁の係止縁に当接させて前記一対の横爪部及び前記縦爪部を前記ガイド壁の係止縁に係止し、前記封止蓋を前記車体パネル部材の開口部から取り外す場合には、前記胴部の他側を押し込んで前記封止蓋を傾動させ、前記胴部の傾斜縁を前記ガイド壁の係止縁に当接させて前記一対の横爪部の前記係止縁に対する係合を解除した後、前記縦爪部の前記係止縁に対する係合を解除することを特徴とする。
このように構成することで、車体パネル部材には開口部周縁に形成したガイド壁の縁部に全周に渡って係止縁を設けるだけで、この係止縁に当接する封止蓋の胴部に平坦縁と傾斜縁を設け封止蓋を平坦縁と傾斜縁の折れ点で傾動させて封止蓋を取り外すことができる。
【００１０】
請求項５に記載した発明は、前記ガイド壁の前記縁部（例えば、実施形態における縁部ｆ’）であって前記一対の横爪部に対応する位置に各々係止部（例えば、実施形態における係止部３８）を設け、この係止部に前記一対の横爪部の受け入れ側に横爪部の乗り上げを許容する弧状部（例えば、実施形態におけるアール部４０）を形成し、前記係止部に対して前記封止蓋を前記胴部を介して傾動可能に支持し、前記封止蓋を前記車体パネル部材の前記開口部に取り付ける場合には、前記封止蓋を前記開口部に押し込み前記封止蓋の前記胴部の開口縁（例えば、実施形態における開口縁１４５）を前記係止部に当接させると共に前記横爪部を前記係止部に、前記縦爪部を前記縁部に係止し、前記封止蓋を前記車体パネル部材の前記開口部から取り外す場合には、前記胴部の他側を押し込んで前記係止部を支点にして前記封止蓋を揺動させ、前記一対の横爪部の前記係止部に対する係合を解除した後、前記縦爪部の前記縁部に対する係合を解除することを特徴とする。
このように構成することで、車体パネル部材のガイド壁の係止部に、横爪部の乗り上げを許容する弧状部を設けて、横爪部の係止部に対する係合状態の解除がスムーズに行うことができる。
【発明の効果】
【００１１】
請求項１に記載した発明によれば、封止蓋を車体パネル部材の開口部に押し込んで横爪部を係止縁に縦爪部をガイド壁に係止して取り付け、封止蓋を車体パネル部材から取り外す場合には胴部の他側を押圧して封止蓋を揺動させて横爪部のガイド壁の係止縁に対する係合状態を解除し、次いで縦爪部のガイド壁に対する係合状態を解除して封止蓋を車体パネル部材から取り外すことができるため、車体パネル部材の内側の狭い部位から横爪部や縦爪部を取り外す作業が必要なくなり、作業が行い易い効果がある。また、横爪部の係合状態を解除するために、封止蓋を揺動させてガイド壁の係止縁から横爪部を外すようにしているため、横爪部の係止操作方向とは異なる方向に横爪部を移動させて係合状態を解除するので、取り外し作業に大きな力が必要なくなり、取り外し作業が行い易くなる。
【００１２】
請求項２に記載した発明によれば、封止蓋を車体パネル部材のガイド壁に確実に装着できるため、封止蓋が過剰に車体パネル部材内に入り込んだ状態で取り付けられることがないという効果がある。
【００１３】
請求項３に記載した発明によれば、封止蓋の蓋本体の一方を押し込んだ際に他方が手前側に立ち上がるため、封止蓋の取り外しを容易に行うことができる効果がある。
【００１４】
請求項４に記載した発明によれば、車体パネル部材には開口部周縁に形成したガイド壁の縁部に全周に渡って係止縁を設けるだけで、この係止縁に当接する封止蓋の胴部に平坦縁と傾斜縁を設け封止蓋を平坦縁と傾斜縁の折れ点で傾動させて封止蓋を取り外すことができるため、車体パネル部材の加工が行い易く、確実に封止蓋を取り付け、取り外すことができる効果がある。
【００１５】
請求項５に記載した発明によれば、車体パネル部材のガイド壁の係止部に、横爪部の乗り上げを許容する弧状部を設けて、横爪部の係止部に対する係合状態の解除がスムーズに行うことができるため、係止部を支点にして封止蓋を揺動させて横爪部を車体パネル部材のガイド壁から容易に取り外すことができる効果がある。
【発明を実施するための最良の形態】
【００１６】
次に、この発明の実施形態を図面に基づいて説明する。
図１に示すように、車両のインストルメントパネル１にはオプション部品２を必要に応じて取り付けるための２つの開口部３，３が形成されている。左側の開口部３にはオプション部品２が取り付けられ、右側の開口部３はオプション部品２が取り付けられないため封止蓋４が取り付けられて閉塞されている。開口部３は上下に長い長方形状に形成され、開口部３のコーナー部分５は丸みを帯びている。
【００１７】
図２、３に示すように、インストルメントパネル１の開口部３の周縁には裏側に延びる筒状のガイド壁６が設けられている。このガイド壁６は開口部３と同様に断面形状が縦長の長方形状に形成され、開口部３のコーナー部分５に対応する部分は湾曲部７となっている。ガイド壁６の縁部ｆの内側には全周に渡って係止縁８が設けられている。
【００１８】
図４〜図６は開口部３に取り付けられて開口部３を閉塞する封止蓋４を示している。封止蓋４は主として蓋本体１０と胴部１１とで構成されている。蓋本体１０はインストルメントパネル１と面一となり開口部３に対して整合する外壁部である。この蓋本体１０が開口部３からインストルメントパネル１のガイド壁６内に落とし込まれるようにして開口部３を閉塞する。胴部１１は蓋本体１０の裏面に立ち上がるようにして周設される断面長方形状の壁部であって、この胴部１１により封止蓋４を升形状にするもので、胴部１１は長手方向に延びガイド壁６に沿う一対の縦壁１２とガイド壁６からやや離れ縦壁１２の端部を結ぶ一対の横壁１３，１３’とで構成されている。
【００１９】
縦壁１２は胴部１１の一側にインストルメントパネル１の開口部３のガイド壁６内に蓋本体１０と共に収まる高さの平坦縁１４を備え、胴部１１の他側に平坦縁１４の内側の端末から蓋本体１０側に向かって傾斜する傾斜縁１５を備えている。主として平坦縁１４と傾斜縁１５とで横壁１３，１３’の端部とで開口縁１４５を構成している。
したがって、胴部１１の平坦縁１４と傾斜縁１５はガイド壁６の係止縁８にそれぞれが当接支持されるため、結果的に平坦縁１４と傾斜縁１５との折れ点Ｐを支点として、胴部１１すなわち封止蓋４がインストルメントパネル１のガイド壁６の係止縁８に対して傾動可能に支持されることとなる。
【００２０】
縦壁１２の傾斜縁１５側の端部は開口部３の湾曲部７に対応して９０度程度回り込む湾曲片１６を備えている。また、縦壁１２の平坦縁１４側の端部にも同様の構成の湾曲片１６が形成されている。
胴部１１の一側の横壁１３は縦壁１２の平坦縁１４と同じ高さで形成されて縦壁１２同士を連結し、胴部１１の他側の横壁１３’は傾斜縁１５の端末付近から縦壁１２同士を連結し、中央部付近では縦壁１２の平坦縁１４の高さまで立ち上がっている。
【００２１】
胴部１１の一側の横壁１３には、ガイド壁６に対して弾性的に圧入される対向する柔軟な一対のリブ１７，１７が設けられている。このリブ１７は横壁１３の端面に端を発し湾曲片１６に連結される方形状の部材である。また、胴部１１の他側の横壁１３’にもガイド壁６に対して弾性的に圧入される対向する柔軟な一対のリブ１８，１８が設けられている。このリブ１８も横壁１３’の端面に端を発し湾曲片１６に連結される方形状の部材である。
【００２２】
リブ１７，１７の近傍には縦壁１２の内側の横壁１３寄りに縦壁１２の平坦縁１４の上方であって縦壁１２の外側に係止部１９を張り出す横爪部２０，２０が一対設けられている。この横爪部２０の係止部１９はインストルメントパネル１の開口部３のガイド壁６の係止縁８に幅方向の内側から係止する。
また、リブ１８，１８の間には封止蓋４の蓋本体１０から立設し横壁１３’に沿うように横壁１３’の上方で外側に係止部２１を張り出す単一の縦爪部２２が設けられている。この縦爪部２２の係止部２１はインストルメントパネル１の開口部３のガイド壁６の係止縁８の長手方向の内側から係止する。
【００２３】
次に、作用について説明する。
インストルメントパネル１の開口部３にオプション部品２を取り付ける必要がない場合には、インストルメントパネル１の開口部３に封止蓋４の胴部１１を差し込んで、蓋本体１０を真っ直ぐに押し込む。
すると、図７に鎖線で示すように、幅方向は封止蓋４の縦壁１２，１２が開口部３のガイド壁６に幅方向を案内されながら横爪部２０，２０の弾性力によりセンタリングされ、長手方向は各リブ１７，１７、１８，１８の弾性力によりセンタリングされて押し込まれ、各縦壁１２の平坦縁１４がガイド壁６の係止縁８に当接して内部への移動が規制された時点で、横爪部２０，２０の係止部１９と縦爪部２２の係止部２１とがガイド壁６の係止縁８に内側から係止する。
【００２４】
これにより、封止蓋４は抜け止めされた状態で正確にインストルメントパネル１の開口部３に蓋本体１０を面一の状態として取り付けられる。この状態では抜け方向に力が作用しても、横爪部２０，２０の係止部１９と縦爪部２２の係止部２１とが確実にガイド壁６の係止縁８に内側から係止しているため、抜けることはない。車両走行時の振動で封止蓋４が抜けたり、横爪部２０，２０や縦爪部２２が破損することもない。
また、更に押し込んでも各縦壁１２の平坦縁１４がガイド壁６の係止縁８に当接しているため、挿入が規制されそれ以上内部に入り込むことはない。
【００２５】
次に、オプション部品２を取り付けるために、封止蓋４を取り外す必要がある場合には、封止蓋４の他側、つまり縦爪部２２側の蓋本体１０を押し込むと、図７に鎖線で示すように、蓋本体１０は胴部１１の縦爪部２２側が大きく内側に入り込む。このとき胴部１１の平坦縁１４と傾斜縁１５との折れ点Ｐを支点として、胴部１１すなわち封止蓋４がインストルメントパネル１のガイド壁６の係止縁８に対して傾動し、傾斜縁１５がインストルメントパネル１のガイド壁６の係止縁８に当接する状態となる。
このときに、横爪部２０はガイド壁６の係止縁８に対して斜めに抜け出るようにして係合状態が解除される。横爪部２０の係止部１９の外側の下半部１９ａが斜め内側に形成されているため、徐々に係止縁８から抜け出ることができるのである。
そして、この傾動動作の際にはリブ１７，１７、リブ１８，１８の上部コーナー部が弾性力により押し縮められながら変形するため、傾動による抜けを防止できると共にある程度の押圧感をもって傾動することができる。
【００２６】
更に、インストルメントパネル１の開口部３から外側に突出した封止蓋４の横爪部２０側を引張すれば、縦爪部２２側を引き出して、封止蓋４を開口部３から抜き出し、インストルメントパネル１の開口部３を開放することができる。したがって、この開放された開口部３にオプションとして取り付けられるオプション部品２を簡単に取り付けることができる。
【００２７】
したがって、インストルメントパネル１の内側の狭い場所から横爪部２０や縦爪部２２の係合状態を解除するための作業が必要なく、簡単に封止蓋４の取り外し作業を行うことができる。また、横爪部２０の係合状態を解除するために、封止蓋４を折れ点Ｐを中心にして傾動させてガイド壁６の係止縁８から横爪部２０を外すようにしているため、横爪部２０の係止操作方向とは異なる方向に横爪部２０を移動させて係合状態を解除するので、取り外し作業に大きな力が必要なくなり、取り外し作業が行い易くなる。
そして、インストルメントパネル１には開口部３の周縁に形成したガイド壁６の縁部に全周に渡って係止縁８を設けるだけで、この係止縁８に当接する封止蓋４の胴部１１に平坦縁１４と傾斜縁１５を設け封止蓋４を傾動させて封止蓋４を取り外すことができるため、インストルメントパネル１の加工が行い易く、確実に封止蓋４を取り付け、取り外すことができる。
そして、柔軟なリブ１７，１７、リブ１８，１８により小さい力で取り付け取り外し作業を行うことができる。
【００２８】
次に、この発明の第２実施形態を図１を援用し、図８〜図１２に基づいて説明する。尚、前述した第１実施形態と同一部分には同一符号を付して説明する。
この実施形態において、図８、図９に示すように、インストルメントパネル１の開口部３のガイド壁６には装着される封止蓋３４の押し込みを規制するためにガイド壁６の縁部ｆ’に部分的に係止部３８が設けられている。具体的には係止部３８はガイド壁６の縦壁３２の縁部ｆ’であってやや他側寄りの内側に設けられ、ガイド壁６の縁部ｆ’から更に突出する部材である。係止部３８はガイド壁６の一側側に外側に向かって傾斜する傾斜部３９を備え、この傾斜部３９は徐々に薄くなりガイド壁６の内面に一致するように形成され、係止部３８はガイド壁６の他側の上部のコーナー部が弧状に形成されたアール部４０となっている。
【００２９】
また、図１０、図１１に示す封止蓋３４は蓋本体１０と胴部３１とで構成され、胴部３１が一対の縦壁３２，３２と一対の横壁１３，１３’とで構成されている点、縦壁３２の両端部にはインストルメントパネル１の開口部３の湾曲部７に対応して９０度程度回り込む湾曲片１６を備えている点、各横壁１３，１３’にはガイド壁６に対して弾性的に圧入される対向する柔軟な一対のリブ１７，１７、１８，１８が設けられている点などの基本的構成は第１実施形態と同様である。尚、縦壁３２，３２と横壁１３，１３’の端縁が胴部３１の開口縁１４５を構成している。
ここで、胴部３１の横壁１３，１３’及び縦壁３２，３２は、封止蓋３４を開口部３に装着した際に、蓋本体１０がインストルメントパネル１に面一になる位置で、インストルメントパネル１のガイド壁６の係止部３８の下縁３７に一致する高さに形成されている。つまり、封止蓋３４を開口部３に押し込むと、ガイド壁６の係止部３８に縦壁３２，３２が部分的に当接して挿入が規制される。したがって、封止蓋３４はガイド壁６の係止部３８に当接した状態で、係止部３８を支点として、封止蓋３４の一側が押し込まれる方向に揺動できるようになっている。
【００３０】
そして、リブ１７，１７の近傍には縦壁３２の内側の横壁１３寄りに縦壁３２の縁部の上方であって縦壁３２の外側に係止部１９を張り出す横爪部２０が一対設けられている。この横爪部２０の係止部１９はインストルメントパネル１の開口部３のガイド壁６の係止部３８に幅方向から係止する。
また、リブ１８，１８の間には封止蓋４の蓋本体１０から立設し横壁１３’に沿うように横壁１３’の上方で外側に係止部２１を張り出す単一の縦爪部２２が設けられている。この縦爪部２２の係止部２１はインストルメントパネル１の開口部３のガイド壁６の横辺部の縁部ｆ’に長手方向から係止する。
【００３１】
次に、作用について説明する。
インストルメントパネル１の開口部３にオプション部品２を取り付ける必要がない場合には、インストルメントパネル１の開口部３に封止蓋３４の胴部３１を差し込んで、蓋本体１０を真っ直ぐに押し込む。
すると、図１１に示すように、幅方向は封止蓋４の縦壁３２，３２が開口部３のガイド壁６に幅方向を案内されながら横爪部２０，２０の弾性力によりセンタリングされ、長手方向は各リブ１７，１７、１８，１８の弾性力によりセンタリングされて押し込まれ、各縦壁３２の縁部ｆ’がガイド壁６の係止部３８の下縁３７に当接した時点で、横爪部２０，２０の係止部１９が係止部３８の上縁に内側から係止し、縦爪部２２の係止部２１がガイド壁６の縁部ｆ’に内側から係止する。
【００３２】
これにより、封止蓋３４は抜け止めされた状態で正確にインストルメントパネル１の開口部３に蓋本体１０を面一の状態として取り付けられる。この状態では抜け方向に力が作用しても、横爪部２０，２０の係止部１９がガイド壁６の係止部３８に内側から係止し、縦爪部２２の係止部２１がガイド壁６の縁部ｆ’に内側から係止しているため、抜けることはない。車両走行時の振動で封止蓋３４が抜けたり、横爪部２０，２０や縦爪部２２が破損することもない。
また、封止蓋３４を更に押し込んでも各縦壁３２がガイド壁６の係止部３８に当接しているため、挿入が規制されそれ以上内部に入り込むことはない。
【００３３】
次に、オプション部品２を取り付けるために、封止蓋３４を取り外す必要がある場合には、図１２に示すように、封止蓋３４の他側、つまり縦爪部２２側の蓋本体１０を押し込むと、蓋本体１０は胴部３１の縦爪部２２側が大きく内側に入り込む。このとき胴部３１はガイド壁６の係止部３８を支点として揺動できるため、胴部３１すなわち封止蓋３４がインストルメントパネル１のガイド壁６の係止部３８を支点として揺動する。すると、横爪部２０の係止部１９の外側の下半部１９ａが係止部３８のアール部４０に沿うようにして、矢印で示すように係止部３８から抜ける。
そして、この揺動動作の際にはリブ１７，１７、リブ１８，１８の上部コーナー部が弾性力により押し縮められながら変形するため、傾動による抜けを防止できると共にある程度の押圧感をもって傾動することができる。
【００３４】
したがって、この実施形態によれば、上述した実施形態と同様の効果を有すると共に、横爪部２０が係止部３８のアール部４０によってスムーズに係合状態を解除できるために、縦壁３２が係止部３８の傾斜部３９により容易に胴部１１の揺動を許容しているため、より一層少ない力で封止蓋３４の取り外し作業を行うことができる。
【００３５】
尚、この発明は上記実施形態に限られるものではなく、例えば、縦爪部は１つだけ設けた場合を例にして説明したが、小さい爪を複数設けるようにしてもよい。また、車体パネル部材としてインストルメントパネルを例にして説明したが、バンパーに牽引フックを露出させるための開口部を蓋で閉塞するような場合に、この蓋の取付部構造として用いることもできる。
【図面の簡単な説明】
【００３６】
【図１】この発明の実施形態のインストルメントパネルの斜視図である。
【図２】第１実施形態のインストルメントパネルを裏側から視た斜視図である。
【図３】図２のＡ−Ａ線に沿う断面図である。
【図４】第１実施形態の封止蓋の斜視図である。
【図５】第１実施形態の封止蓋の正面図である。
【図６】第１実施形態の封止蓋の側面図である。
【図７】第１実施形態の封止蓋の取り付け、取り外し状態を示す斜視図である。
【図８】第２実施形態のインストルメントパネルを裏側から視た図である。
【図９】図８の斜視図である。
【図１０】第２実施形態の封止蓋の斜視図である。
【図１１】第２実施形態の封止蓋の取り付け状態を示す斜視図である。
【図１２】第２実施形態の封止蓋の取り外し状態を示す斜視図である。
【符号の説明】
【００３７】
１  インストルメントパネル（車体パネル部材）
２  オプション部品（部品）
３  開口部
４  封止蓋
６  ガイド壁
８  係止縁
ｆ、ｆ’  縁部
１０  蓋本体
１１  胴部
１３、１３’  横壁（端面）
１４  平坦縁
１５  傾斜縁
１７、１８  リブ
１９  係止部
２０  横爪部
２１  係止部
２２  縦爪部
３８  係止部（係止縁）
４０  アール部（弧状部）
１４５  開口縁
【図１】
2009132226.tif 000003
【図２】
2009132226.tif 000004
【図３】
2009132226.tif 000005
【図４】
2009132226.tif 000006
【図５】
2009132226.tif 000007
【図６】
2009132226.tif 000008
【図７】
2009132226.tif 000009
【図８】
2009132226.tif 000010
【図９】
2009132226.tif 000011
【図１０】
2009132226.tif 000012
【図１１】
2009132226.tif 000013
【図１２】
2009132226.tif 000014